(57)【要約】【課題】締結具による締め付け圧力を目視によって管理することができる締め付け圧力管理方法及び該管理方法に用いられるパッキンを提供する。【解決手段】この締め付け圧力管理方法では、機械的な力が加えられると発光する応力発光材料を添加したパッキン１０を締結具であるナット１２と締結対象物である面盤１８との間に介在させてナット１２の締め付けを行う。パッキン１０は、ナット１２を締め付けた際、所望の締め付け圧力に到達したときに応力発光材料が発光するように該応力発光材料の添加量をゴム材料に対して調整した材質で形成されている。【選択図】図１
2015129562.tif 000002
【特許請求の範囲】
【請求項１】
締結具の締め付け圧力管理方法であって、
機械的な力が加えられると発光する応力発光材料を添加したパッキンを前記締結具と締結対象物との間に介在させて前記締結具の締め付けを行うことを特徴とする締め付け圧力管理方法。
【請求項２】
請求項１記載の締め付け圧力管理方法において、
前記締結具は、ボルト及びナットであり、
前記ボルトのねじ部に前記パッキンを挿通させ、該パッキンの上から該パッキンが発光するまで前記ナットを前記ねじ部に対して締め付けることを特徴とする締め付け圧力管理方法。
【請求項３】
請求項２記載の締め付け圧力管理方法において、
前記締結対象物は、平板であり、
前記締結具及び前記パッキンは、前記平板の複数位置に設けられることを特徴とする締め付け圧力管理方法。
【請求項４】
締結具と締結対象物との間に介在させるパッキンであって、
機械的な力が加えられると発光する応力発光材料が添加され、前記締結具を所定の締め付け圧力で締め付けた際に発光することを特徴とするパッキン。
【発明の詳細な説明】
【技術分野】
【０００１】
本発明は、ボルト等の締結具の締め付け圧力を管理する締め付け圧力管理方法及び該管理方法に用いられるパッキンに関する。
【背景技術】
【０００２】
従来よりコンクリート吹付け用圧送ポンプとして、コンクリートをホッパからローターへと充填させ、この充填したコンクリートを空気圧で圧送ホースのノズルから吐出するローター型の装置が使用されている（例えば、特許文献１，２参照）。このローター型のコンクリート吹付け用圧送ポンプでは、ローターを保持する平板状の面盤を均一な応力で締結することで効率のよい使用が可能となる。
【先行技術文献】
【特許文献】
【０００３】
【特許文献１】特開２０１０−１５０８５６号公報
【特許文献２】特開２００７−１６８２２４号公報
【発明の概要】
【発明が解決しようとする課題】
【０００４】
面盤の締め付け方法として、従来はトルクレンチを使用し、ナットの下に介在させたゴムパッキンを均一に締め付けることで面盤に均一な応力を付与していた。ところが、この方法では専用のトルクレンチが必要となるばかりでなく、締め付けトルクは確認できるものの、ゴムパッキンへの作用圧力（締め付け圧力）を直接確認できないため、均一な締め付けが行われない可能性もある。
【０００５】
本発明は、上記従来技術の課題を考慮してなされたものであり、締結具による締め付け圧力を目視によって管理することができる締め付け圧力管理方法及び該管理方法に用いられるパッキンを提供することを目的とする。
【課題を解決するための手段】
【０００６】
本発明に係る締め付け圧力管理方法は、締結具の締め付け圧力管理方法であって、機械的な力が加えられると発光する応力発光材料を添加したパッキンを前記締結具と締結対象物との間に介在させて前記締結具の締め付けを行うことを特徴とする。
【０００７】
また、本発明に係るパッキンは、締結具と締結対象物との間に介在させるパッキンであって、機械的な力が加えられると発光する応力発光材料が添加され、前記締結具を所定の締め付け圧力で締め付けた際に発光することを特徴とする。
【０００８】
このような方法及び構成によれば、締結具の締め付け圧力が所定圧力となったときにパッキンが発光するため、作業者はスパナ等の一般的な工具を用い、目視によって締め付け圧力が所定値に達したことを認識し管理することができる。このため、例えば複数個所を均一に締結する場合等であっても、各位置での締め付け圧力を容易に均一化することができる。
【０００９】
前記締結具は、ボルト及びナットであり、前記ボルトのねじ部に前記パッキンを挿通させ、該パッキンの上から該パッキンが発光するまで前記ナットを前記ねじ部に対して締め付けるようにしてもよい。
【００１０】
この場合、前記締結対象物は、平板であり、前記締結具及び前記パッキンは、前記平板の複数位置に設けられていると、平板に均一な荷重を容易に付与して締め付けることができる。
【発明の効果】
【００１１】
本発明によれば、締結具の締め付け圧力が所定圧力となったときにパッキンが発光するため、作業者は目視によって締め付け圧力が所定値に達したことを認識し管理することができる。
【図面の簡単な説明】
【００１２】
【図１】図１は、本発明の一実施形態に係る締め付け圧力管理方法を説明するためのコンクリート吹付け用圧送ポンプの要部を示す側面図である。
【発明を実施するための形態】
【００１３】
以下、本発明に係る締め付け圧力管理方法及びパッキンについて好適な実施の形態を挙げ、添付の図面を参照しながら詳細に説明する。
【００１４】
本発明の一実施形態に係る締め付け圧力管理方法は、例えば、ローター型のコンクリート吹付け用圧送ポンプの面盤を締め付ける際に、締結具であるナットと締結対象物である面盤との間に応力発光材料を添加したパッキンを介在させておく。そして、このパッキンの発光によってナットの締め付け圧力が所定値に達したことを目視で確認することで面盤に一定の応力を付与することができる。本実施形態に係る締め付け圧力管理方法は、圧送ポンプの面盤以外の締め付けに用いてもよいことは勿論である。
【００１５】
本実施形態に係る締め付け圧力管理方法は、図１に示すように、機械的な力が加えられると発光する応力発光材料を添加したパッキン１０を介在させ、ナット１２及びボルト１４によりローター型のコンクリート吹付け用圧送ポンプ１６の面盤１８を締め付ける方法である。
【００１６】
この締め付け圧力管理方法では、先ず、底盤２０の上に載置されたローター２２の上面に、支柱となる３本のボルト１４を介して面盤１８が取り付けられている。ボルト１４は、その上端側にねじ部１４ａが形成され、底盤２０と面盤１８との間の支柱となるものであり、面盤１８の四隅に形成された孔部１８ａにねじ部１４ａが挿通されている。
【００１７】
次に、面盤１８の孔部１８ａを挿通しているボルト１４のねじ部１４ａにパッキン１０を挿通させ、その上からナット１２を締め付ける。パッキン１０は、上記のように応力発光材料が添加されており、所定の応力が付与された際に発光する。従って、作業者は面盤１８の四隅のパッキン１０がそれぞれ発光するまでナット１２を締め付けることにより、全てのナット１２を均一の締め付け圧力で締め付けることができ、面盤１８に一定の荷重をかけることができる。
【００１８】
コンクリート吹付け用圧送ポンプ１６としては、市販されている装置を使用することができ、例えば、アリバ社製のアリバ２８５等が挙げられる。この装置は、図示しないホッパに吹付け材料（吹付け用コンクリート）を投入し、ホッパ下部に設置してあるローター２２が回転することで、圧縮空気と共に材料をノズルから吹き飛ばす構造となっている。この装置では、面盤１８を均一に締め付け均一な荷重をかけると、材料の吹出し効率を向上させることが可能となる。
【００１９】
パッキン１０は、中心にねじ部１４ａが挿通される孔部が形成された円板状のゴムパッキンである。パッキン１０は、天然ゴムや合成ゴムを用いた一般的なゴムパッキンに用いられるゴム材料を基材とし、この基材に対して機械的な力が加えられると発光する応力発光材料（応力発光体）を所定量添加したものを用いるとよい。パッキン１０は、締結具であるナット１２を締め付けた際、所望の締め付け圧力に到達したときに応力発光材料が発光するように該応力発光材料の組成や添加量を調整し、ゴム材料に混合した材質とされる。
【００２０】
応力発光材料としては、従来より広く提案されている材料でよく、例えば、特開２０１３−１５５０６２号公報、特開２０１２−２２９９３５号公報、特開２０１２−２２９９３４号公報、特開２００１−４９２５１号公報、又は特開２０１１−９４０４１号公報等に開示されているように、スピネル構造、コランダム構造又はβアルミナ構造を有する応力発光材料、欠陥制御型アルミン酸塩の応力発光材料、ケイ酸塩の応力発光材料等でよい。
【００２１】
以上のように、本実施形態に係る締め付け圧力管理方法によれば、機械的な力が加えられると発光する応力発光材料を添加したパッキン１０を締結具であるナット１２と締結対象物である面盤１８との間に介在させてナット１２の締め付けを行う。これにより、ナット１２の締め付け圧力が、応力発光材料によってパッキン１０に設定された所定圧力となった場合に該パッキン１０が発光する。このため、作業者はスパナ等の一般的な工具を用い、目視によって締め付け圧力が所定値に達したことを認識し管理することができ、複数個所を均一に締結する場合等であっても、各位置での締め付け圧力を容易に均一化することができる。
【００２２】
この場合、本実施形態に係る締め付け圧力管理方法では、締結対象物であるコンクリート吹付け用圧送ポンプ１６の面盤１８を底盤２０及びローター２２に対してナット１２及びボルト１４を用いて固定・保持させる場合に、ボルト１４のねじ部１４ａにパッキン１０を挿通させ、パッキン１０の上からパッキン１０が発光するまでナット１２を締め付ける。これにより、平板である面盤１８の複数位置に設けられたナット１２、ボルト１４及びパッキン１０を均一の締め付け圧力で締め付けることができる。このため、面盤１８に一定の応力が働いたことを作業者が目視によって確認でき、コンクリート吹付け用圧送ポンプ１６での材料の吹出し効率を向上させることができる。
【００２３】
なお、本発明は、上記した実施形態に限定されるものではなく、本発明の主旨を逸脱しない範囲で自由に変更できることは勿論である。
【００２４】
例えば、上記実施形態では、ボルト１４のねじ部１４ａに対してパッキン１０を介在させ所定の工具を用いてナット１２を締め付ける方法を例示したが、本発明は溶接等によって固定されたナットに対してボルトを締め付ける方法であっても同様に用いることができる。
【符号の説明】
【００２５】
１０  パッキン
１２  ナット
１４  ボルト
１４ａ  ねじ部
１６  コンクリート吹付け用圧送ポンプ
１８  面盤
１８ａ  孔部
２０  底盤
２２  ローター
【図１】
2015129562.tif 000003